(57)【要約】【課題】凍結予防運転において、省エネルギー化を図ることができる熱供給システムを提供する。【解決手段】本発明は、熱源装置１と、熱源装置から熱を得て作動する暖房用端末２と、熱源装置１及び暖房用端末２を接続する熱媒循環路３と、熱媒を循環させる循環ポンプ３６とを備えた熱供給システムである。外気又は熱媒の温度を検知する温度検知部１１１と、凍結予防運転を実行可能な制御装置９とを備えている。凍結予防運転は、温度検知部１１１が第一の温度域の温度を検知した場合に、熱源装置１により熱媒を加熱させないで循環ポンプ３６により熱媒を循環させるものである。また、凍結予防運転は、温度検知部１１１が第一の温度域よりも低温の第二の温度域の温度を検知した場合に、熱源装置１により熱媒を加熱させて循環ポンプ３６により熱媒を循環させることを特徴とする。【選択図】図１
2013213619.tif 000002
【特許請求の範囲】
【請求項１】
熱源装置と、
前記熱源装置から熱を得て作動する暖房用端末と、
前記熱源装置及び前記暖房用端末を接続して内部に熱媒が流通する熱媒循環路と、
前記熱媒循環路に設けられて熱媒を循環させる循環ポンプと
を備えた熱供給システムであって、
外気又は熱媒の温度を検知する温度検知部と、
前記循環ポンプを制御すると共に前記熱源装置を制御し凍結予防運転を実行可能な制御装置と
を備え、
前記凍結予防運転は、
前記温度検知部が第一の温度域の温度を検知した場合に、前記熱源装置により熱媒を加熱させないで前記循環ポンプにより熱媒を循環させ、
前記温度検知部が前記第一の温度域よりも低温の第二の温度域の温度を検知した場合に、前記熱源装置により熱媒を加熱させて前記循環ポンプにより熱媒を循環させるものである
ことを特徴とする熱供給システム。
【請求項２】
前記熱源装置は、少なくとも、第１の加熱量と、第１の加熱量よりも大きい第２の加熱量とに切り替えることができるものであり、
前記凍結予防運転は、前記温度検知部が第二の温度域における所定の温度以下を検知すると、前記熱源装置が前記第１の加熱量から前記第２の加熱量へと切り替えられるものである
ことを特徴とする請求項１記載の熱供給システム。
【請求項３】
前記循環ポンプは、少なくとも、第１の循環流量と、第１の循環流量よりも大きい第２の循環流量とに切り替えることができるものであり、
前記凍結予防運転は、前記温度検知部が第一の温度域または第二の温度域における所定の温度以下を検知すると、前記循環ポンプが前記第１の循環流量から前記第２の循環流量へと切り替えられるものである
ことを特徴とする請求項１又は請求項２のいずれかに記載の熱供給システム。
【発明の詳細な説明】
【技術分野】
【０００１】
本発明は、熱供給システムに関する。
【背景技術】
【０００２】
従来、暖房用端末に熱を供給するための熱源装置と、熱源装置と暖房用端末とを接続する熱媒循環路と、給水源に接続されてその途中に熱源装置が接続される給湯用流路とを備えた熱供給システムが知られている（例えば特許文献１参照）。
【０００３】
この特許文献１の熱供給システムは、暖房バーナと、暖房端末と、熱媒循環路とを備えている。熱媒循環路は、暖房バーナと暖房端末とを接続する。これにより暖房端末は、暖房バーナからの熱を得て作動する。
【先行技術文献】
【特許文献】
【０００４】
【特許文献１】特開２０１０−２２３４９０号公報
【発明の概要】
【発明が解決しようとする課題】
【０００５】
ところで、上記のような熱供給システムにおいて、熱媒循環路の熱媒は、冬期に流通せずに管内に留まったままだと、凍結してしまう場合がある。そこで、この従来の熱供給システムは、外気温等が低くなると、凍結予防運転を実行する。
【０００６】
従来の熱供給システムにおける凍結予防運転は、外気温等が低温となると、暖房バーナにより熱媒を加熱し、この加熱された熱媒を熱媒循環路で循環させる。しかしながら、凍結予防運転を行なう度に、暖房バーナを駆動させて熱媒を加熱するのは、省エネルギー化の観点から好ましくない。
【０００７】
本発明は、上記事情に鑑みてなされたものであり、その目的とするところは、凍結予防運転において、省エネルギー化を図ることができる熱供給システムを提供することにある。
【課題を解決するための手段】
【０００８】
本発明の熱供給システムは、熱源装置と、前記熱源装置から熱を得て作動する暖房用端末と、前記熱源装置及び前記暖房用端末を接続して内部に熱媒が流通する熱媒循環路と、前記熱媒循環路に設けられて熱媒を循環させる循環ポンプと、を備えた熱供給システムであって、外気又は熱媒の温度を検知する温度検知部と、前記循環ポンプを制御すると共に前記熱源装置を制御し凍結予防運転を実行可能な制御装置とを備え、前記凍結予防運転は、前記温度検知部が第一の温度域の温度を検知した場合に、前記熱源装置により熱媒を加熱させないで前記循環ポンプにより熱媒を循環させ、前記温度検知部が前記第一の温度域よりも低温の第二の温度域の温度を検知した場合に、前記熱源装置により熱媒を加熱させて前記循環ポンプにより熱媒を循環させるものであることを特徴とする。
【０００９】
また本発明の熱供給システムにおいて、前記熱源装置は、少なくとも、第１の加熱量と、第１の加熱量よりも大きい第２の加熱量とに切り替えることができるものであり、前記凍結予防運転は、前記温度検知部が第二の温度域における所定の温度以下を検知すると、前記熱源装置が前記第１の加熱量から前記第２の加熱量へと切り替えられるものであることが好ましい。
【００１０】
また本発明の熱供給システムにおいて、前記循環ポンプは、少なくとも、第１の循環流量と、第１の循環流量よりも大きい第２の循環流量とに切り替えることができるものであり、前記凍結予防運転は、前記温度検知部が第一の温度域または第二の温度域における所定の温度以下を検知すると、前記循環ポンプが前記第１の循環流量から前記第２の循環流量へと切り替えられるものであることが好ましい。
【発明の効果】
【００１１】
本発明の熱供給システムは、凍結予防運転を行なうに当たり、外気等の温度が第一の温度域の温度になると、熱源装置を駆動させないで熱媒を循環させて凍結予防運転を実行させる。そして、さらに低温の第二の温度域の温度になった時点で、熱源装置を駆動させて加熱された熱媒を循環させて、凍結予防運転を実行させる。
【００１２】
これにより、本発明の熱供給システムによれば、外気温等の温度に応じた凍結予防運転を実行させることができ、省エネルギー化を図ることができる。
【図面の簡単な説明】
【００１３】
【図１】本実施形態の熱供給システムの全体構成図である。
【図２】本実施形態の制御装置のブロック図である。
【図３】本実施形態の加熱量・循環流量テーブルを示している。
【図４】本実施形態のフローチャートを示している。
【発明を実施するための形態】
【００１４】
以下、本発明の実施形態について添付図面に基づいて説明する。
【００１５】
本実施形態の熱供給システムは、図１に示されるように、熱源装置１と、暖房用端末２と、熱媒循環路３と、暖房タンク４と、給湯用流路８と、制御装置９とを備えている。また熱供給システムは、浴湯の追い焚きを行なうための追焚き用回路５を備えている。また、熱供給システムは、熱源装置１として、暖房回路用の熱源部１１と、給湯用流路８の熱源部１５とを備えている。つまり、本実施形態の熱供給システムは、いわゆる、２缶３水路方式の熱供給システムである。なお、本実施形態の熱供給システムの熱媒には水が使用される。
【００１６】
熱源装置１は、第１の熱源部１１と、第２の熱源部１５とを備えている。熱源装置１は、暖房用端末２に熱を供給するために設けられている。第１の熱源部１１は、熱媒循環路３を流通する熱媒を加熱する。第２の熱源部１５は、給湯用流路８を流通する水を加熱する。第１の熱源部１１及び第２の熱源部１５は、ガスバーナ１２，１６と、顕熱熱交換器１３，１７と、潜熱熱交換器１４，１８とをそれぞれ備えている。
【００１７】
ガスバーナ１２，１６には、ガス供給路１２１が接続されている。ガス供給路１２１は、ガスバーナ１２，１６に燃料ガスを供給する。燃料ガスは、例えば、都市ガスやプロパンガス等が挙げられる。ガスバーナ１２，１６は、複数の加熱量に段階的に切り替えることができる。本実施形態のガスバーナ１２，１６は、少なくとも、第１の加熱量と、第２の加熱量とに切り替えることができる。なお、ガスバーナ１２，１６の加熱量の切り替えは、制御装置９によって制御される。
【００１８】
顕熱熱交換器１３，１７は、ガスバーナ１２，１６の排ガスの顕熱を回収する。潜熱熱交換器１４，１８は、ガスバーナ１２の排ガスの潜熱を回収する。潜熱熱交換器１４，１８は、顕熱熱交換器１３，１７で熱交換した後の排ガスと熱交換するようになっている。なお、潜熱熱交換器１４，１８を経た排ガスは、凝縮して液体に変化し、ドレンを介して排出される。
【００１９】
第１の熱源部１１において、顕熱熱交換器１３と潜熱熱交換器１４とは、第１の熱交中間流路３１を介して接続されている。第１の熱交中間流路３１は、熱媒循環路３の一部である。第１の熱交中間流路３１は、潜熱熱交換器１４の熱媒出口１４２と顕熱熱交換器１３の熱媒入口１３１との間に接続される。第１の熱交中間流路３１は、タンク復路３２と、タンク往路３３とを備えている。タンク復路３２は、潜熱熱交換器１４の熱媒出口１４２と暖房タンク４の流入口４１とを接続する。タンク往路３３は、暖房タンク４の流出口４２と顕熱熱交換器１３の熱媒入口１３１とを接続する。
【００２０】
第２の熱源部１５において、顕熱熱交換器１７と潜熱熱交換器１８とは、第２の熱交中間流路８１を介して接続されている。第２の熱交中間流路８１は、第２の熱源部１５の潜熱熱交換器１８の出口１８２と顕熱熱交換器１７の入口１７１とを連通接続する。
【００２１】
なお熱源装置１は、ガスバーナ１２，１６に限らず、排熱を利用して熱媒又は湯水を加熱するものであってもよい。熱源装置１は、例えば、原動機駆動式の発電装置であってもよい。原動機駆動式の発電装置は、電気及び排熱を発生させる。熱源装置１として原動機駆動式の発電装置を用いることで、いわゆる、コージェネレーションシステムを構成することができる。
【００２２】
暖房用端末２は、熱源装置１から熱を得て作動する。具体的に暖房用端末２は、熱媒を介して熱源装置１から熱を得る。暖房用端末２は、単数又は複数設けられている。なお、暖房用端末２の熱媒の流入口２１には、弁（例えば、熱動弁）が設けられている。この弁は、制御装置９により開閉制御されている。
【００２３】
熱媒循環路３は、熱源装置１と暖房用端末２とを接続する。熱媒循環路３内には、熱媒が流通する。熱媒循環路３は、循環往路３４と、循環復路３５と、上述の第１の熱交中間流路３１とを備えている。循環往路３４は、顕熱熱交換器１３の熱媒出口１３２と、暖房用端末２における熱媒の入口２１とを接続する。循環復路３５は、暖房用端末２における熱媒の出口２２と、潜熱熱交換器１４の熱媒入口１４１とを接続する。熱媒循環路３の途中には、循環ポンプ３６が接続されている。これにより熱媒は、熱媒循環路３内を流通し、熱源装置１と暖房用端末２との間で循環する。
【００２４】
循環ポンプ３６は、モータを備えている。モータは、制御装置９によって回転数が変更されるよう構成されている。言い換えると、循環ポンプ３６は、循環流量を変更できるよう構成されている。循環ポンプ３６は、複数の循環流量に段階的に切り替え可能である。本実施形態の循環ポンプ３６は、少なくとも、第１の循環流量と、第２の循環流量とに切り替えることができる。
【００２５】
暖房タンク４は、加熱に伴う熱媒の膨張・収縮による体積変化を吸収するために用いられる。暖房タンク４は、流入口４１と、流出口４２とを備えている。暖房タンク４の内部には熱媒が貯留される。流入口４１は、暖房タンク４内へ熱媒を流入させる。流出口４２は、暖房タンク４内から熱媒を流出させる。流入口４１は、潜熱熱交換器１４の熱媒出口１４２に、タンク復路３２を介して接続されている。流出口４２は、顕熱熱交換器１３の熱媒入口１３１に、タンク往路３３を介して接続されている。言い換えると暖房タンク４は、熱媒循環路３の途中に接続されている。
【００２６】
なお、暖房タンク４としては、密閉型の暖房タンク４でもよいし、開放型の暖房タンク４でもよい。
【００２７】
給湯用流路８は、給水路８２と、給湯路８３と、上述の第２の熱交中間流路８１とを備えている。給水路８２の上流側の端部は、給水源に接続されている。給水源は、例えば、水道管である。給水路８２の下流側の端部は、第２の熱源部１５における潜熱熱交換器１４の入口１８１に接続される。給湯路８３の上流側の端部は、第２の熱源部１５における顕熱熱交換器１３の出口１７２に接続される。言い換えると給湯用流路８には、その途中に熱源装置１が接続されている。
【００２８】
また給湯用流路８には、熱源装置１をバイパスするようにしてバイパス流路８４が設けられている。バイパス流路８４は、熱源装置１の前後において給水路８２と給湯路８３とを接続する。またバイパス流路８４には、弁（例えば、ステッピングモータやサーボモータ等の水量調整弁）８５が接続されている。
【００２９】
熱媒循環路３には、追焚き用回路５が接続されている。追焚き用回路５は、浴湯の追い焚きを行なうために設けられている。追焚き用回路５の上流側の端部は、循環往路３４の途中に接続される。追焚き用回路５の下流側の端部は、循環復路３５の途中に接続される。追焚き用回路５は、追焚き用熱交換器５１と、追焚き用熱媒路５２と、追焚き循環路６とを備えている。
【００３０】
追焚き用熱交換器５１は、追焚き用熱媒路５２の途中に設けられている。追焚き用熱交換器５１は、暖房用端末２と並列になるように、熱媒循環路３に接続されている。言い換えると、追焚き用回路５は、暖房用端末２と並列になるよう熱媒循環路３に設けられている。追焚き用熱交換器５１は、浴湯と熱媒とで熱交換を行なわせる。追焚き用熱媒路５２の途中には、弁（例えば、熱動弁）５３が設けられている。この弁５３が開放すると、追焚き用熱媒路５２に熱媒が流通する。またこの弁５３が閉塞すると、追焚き用熱媒路５２に熱媒が流通しない。
【００３１】
追焚き循環路６は、浴槽６４と追焚き用熱交換器５１とを接続する。追焚き循環路６は、浴湯の追い焚きを行なうために設けられている。追焚き循環路６は、ふろ往路６１と、ふろ復路６２とを備えている。浴槽６４は、吸入口６５と吐出口６６とを備えている。ふろ往路６１は、浴槽６４の吸入口６５と追焚き用熱交換器５１とを接続する。ふろ復路６２は、追焚き用熱交換器５１と浴槽６４の吐出口６６とを接続する。また追焚き循環路６には、浴湯ポンプ６３が接続されている。これにより、浴湯は追焚き循環路６内を流通する。
【００３２】
本実施形態の熱供給システムは、温度検知部１１１を備えている（図２参照）。温度検知部１１１は、外気の温度を検知する。温度検知部１１１は、外気の温度を検知すると、その温度値を制御装置９に出力する。
【００３３】
なお温度検知部１１１は、熱媒の温度を検知するものであってもよい。また温度検知部１１１は、溜め水や温度伝導部材の温度を検知し、間接的に外気の温度を検知するものであってもよい。
【００３４】
制御装置９は、熱源装置１を制御する。また制御装置９は、各種駆動弁の駆動を制御する。さらに制御装置９は、循環ポンプ３６や浴湯ポンプ６３の駆動を制御する。制御装置９は、マイクロプロセッサを主構成要素とするコンピュータにより構成されている。
【００３５】
制御装置９は、図２に示されるように、運転制御部９０と、弁制御部９１と、ポンプ制御部９２と、熱源装置制御部９３とを備えている。また制御装置制御部９３は、第１の熱源制御部９４と、第２の熱源制御部９５とを備えている。
【００３６】
運転制御部９０には、リモコン１１２からの指令信号が入力される。リモコン１１２は、暖房用端末２の運転の指令を出力する暖房端末用リモコンや、浴湯の追い焚き運転の指令を出力する追い焚き用リモコンや、給湯の開始や給湯温度の指令を出力するリモコンを含む。運転制御部９０は、リモコン１１２等から入力された信号に基づいて、熱源装置制御部９３・弁制御部９１・ポンプ制御部９２の各部に、各運転（暖房用端末２の運転・追い焚き運転・給湯運転）に基づいた情報を出力する。
【００３７】
熱源装置制御部９３は、熱源装置１の駆動を制御する。熱源装置制御部９３は、各運転に応じた熱源装置１の挙動を決定する。つまり、熱源装置制御部９３は、運転制御部９０から入力された各運転の信号に基づいて、第１の熱源部１１又は第２の熱源部１５のいずれかを駆動させるのか、あるいはその両方を駆動させるのかを決定する。また熱源装置制御部９３は、第１の熱源部１１及び第２の熱源部１５の加熱量の決定も行う。例えば、暖房用端末２だけの運転の場合、第１の熱源部１１をＯＮとし且つ第２の熱源部１５をＯＦＦとする決定を行い、第１の熱源部１１の加熱量の決定も行なう。熱源装置制御部９３は、運転制御部９０からの前記信号が入力されると、第１の熱源制御部９４にＯＮ／ＯＦＦ信号及び加熱量の信号を出力する。また、熱源装置制御部９３は、運転制御部９０からの前記信号が入力されると、第２の熱源制御部９５にＯＮ／ＯＦＦ信号及び加熱量の指示信号を出力する。
【００３８】
第１の熱源制御部９４は、ＯＮ／ＯＦＦ制御部９４１と、加熱量制御部９４２とを備えている。ＯＮ／ＯＦＦ制御部９４１は、熱源装置制御部９３からの信号が入力されると、第１の熱源部１１の加熱のＯＮ／ＯＦＦを切り替える。具体的に、ＯＮ／ＯＦＦ制御部９４１は、燃料ガスの供給路１２１の開閉を切り替えることで、バーナ１２の燃焼の有無を切り替える。
【００３９】
加熱量制御部９４２は、熱源装置制御部９３からの信号が入力されると、第１の熱源部１１の加熱量制御を行う。具体的に、加熱量制御部９４２は、燃料ガスの供給路１２１に設けられた流量調整弁の開度を調整することで、バーナ１２の加熱量を制御する。
【００４０】
第２の熱源制御部９５も、ＯＮ／ＯＦＦ制御部９５１と、加熱量制御部９５２とを備えている。ＯＮ／ＯＦＦ制御部９５１は、熱源装置制御部９３からの信号が入力されると、第２の熱源部１５の加熱のＯＮ／ＯＦＦを切り替える。具体的に、ＯＮ／ＯＦＦ制御部９５１は、燃料ガスの供給路１２１の開閉を切り替えることで、バーナ１６の燃焼の有無を切り替える。
【００４１】
加熱量制御部９５２は、熱源装置制御部９３からの信号が入力されると、第２の熱源部１５の加熱量制御を行う。具体的に、加熱量制御部は、燃料ガスの供給路１２１に設けられた流量調整弁の開度を調整することで、バーナ１６の加熱量を制御する。
【００４２】
弁制御部９１は、各部の駆動弁の開閉駆動を制御する。弁制御部９１は、運転制御部９０からの信号が入力されると、各運転に応じた弁の開閉状態を決定し、開閉制御を行う。
【００４３】
ポンプ制御部９２は、循環ポンプ３６と浴湯ポンプ６３の駆動を制御する。ポンプ制御部９２は、運転制御部９０からの信号が入力されると、各運転に応じて、循環ポンプ３６や浴湯ポンプ６３のＯＮ／ＯＦＦ制御や、モータの回転数の制御を行う。モータの制御は、インバーター制御により行われる。これにより熱媒循環路３における熱媒の循環流量や、追焚き循環路６の浴湯の循環流量を制御する。
【００４４】
また制御装置９は、比較部９６と、加熱量・循環流量取得部９８と、凍結予防運転制御部９７とを備えている。また制御装置９は、温度閾値メモリ９６１と、加熱量・循環流量テーブルメモリ９９とを備えている。
【００４５】
閾値メモリ９６１には、予め設定された複数の閾値温度が記憶されている。本実施形態の閾値メモリは、閾値温度として、例えば、第１温度，第２温度，第３温度，第４温度，第５温度，第６温度・・・を記憶する。第２温度は、第１温度よりも低い。第３温度は、第２温度よりも低い。第４温度は、第３温度よりも低い。第５温度は、第４温度よりも低い。第６温度は、第５温度よりも低い。第７温度は、第６温度よりも低い。
【００４６】
また閾値メモリは、図３に示されるように、第一の温度域と、第二の温度域とを記憶する。第二の温度域は、第一の温度域よりも低温の温度領域である。閾値メモリは、第一の温度域と閾値温度とを関連付けて記憶する。また閾値メモリは、第二の温度域と閾値温度とを関連付けて記憶する。例えば、本実施形態の第一の温度域は、第１温度以下で且つ第４温度よりも大きい温度域である。第二の温度域は、第４温度以下の温度域である。温度閾値メモリ９６１は、例えば、不揮発性メモリにより構成される。
【００４７】
比較部９６には、温度検知部１１１で検知した温度値が入力される。また、比較部９６は、温度閾値メモリ９６１から閾値温度が入力される。比較部９６は、閾値メモリ９６１から入力された閾値温度と、温度検知部１１１から入力された温度値とを比較する。比較部は、温度検知部１１１から入力された温度値が、複数の閾値温度のどの区間に属するのかを判断する。
【００４８】
区間Ｔ１は、第１温度以下で且つ第２温度よりも大きい区間である。区間Ｔ２は、第２温度以下で且つ第３温度よりも大きい区間である。区間Ｔ３は、第３温度以下で且つ第４温度よりも大きい区間である。区間Ｔ４は、第４温度以下で且つ第５温度よりも大きい区間である。区間Ｔ５は、第５温度以下で且つ第６温度よりも大きい区間である。区間Ｔ６は、第６温度以下の区間である。
【００４９】
比較部９６は、その比較判断した結果を加熱量・循環流量取得部９８に出力する。加熱量・循環流量取得部９８は、加熱量・循環流量テーブルメモリ９９から、その区間に対応する加熱量と循環流量とをそれぞれ取得する。
【００５０】
加熱量・循環流量テーブルメモリ９９には、図３に示されるように、各区間に対応して加熱量と循環流量とが割り当てられて記憶されている。区間Ｔ１に対応する加熱量として０（燃焼しない）、循環流量として第１の循環流量が割り当てられる。区間Ｔ２に対応する加熱量として０（燃焼しない）、循環流量として第２の循環流量が割り当てられる。区間Ｔ３に対応する加熱量として０（燃焼しない）、循環流量として第３の循環流量が割り当てられる。区間Ｔ４に対応する加熱量として第１の加熱量、循環流量として第４の循環流量が割り当てられる。区間Ｔ５に対応する加熱量として第２の加熱量、循環流量として第５の循環流量が割り当てられる。区間Ｔ６に対応する加熱量として第３の加熱量、循環流量として第５の流量が割り当てられる。
【００５１】
各循環流量の関係は次のとおりである。第２の循環流量は第１の循環流量よりも大きい。第３の循環流量は第２の循環流量よりも大きい。第４の循環流量は第３の循環流量よりも大きい。第５の循環流量は第４の循環流量よりも大きい。
【００５２】
また、各加熱量の関係は次のとおりである。第２の加熱量は第１の加熱量よりも大きい。第３の加熱量は第２の加熱量よりも大きい。
【００５３】
第一の温度域（第１温度以下で且つ第４温度よりも大きい温度領域）において、加熱量は０（燃焼しない）となるよう設定されている。また、第二の温度域（第４温度以下の領域）において、加熱量は第１の加熱量、第２の加熱量、第３の加熱量と順に、段階的に大きくなるよう設定されている。
【００５４】
加熱量・循環流量取得部９８は、加熱量・循環流量テーブルメモリ９９から、循環流量と加熱量とを取得する。循環流量と加熱量とが入力された加熱量・循環流量取得部９８は、その情報を凍結予防運転制御部に出力する。
【００５５】
凍結予防運転制御部９７は、加熱量・循環流量取得部９８からの信号が入力されると、凍結予防運転を実行させる。凍結予防運転制御部９７は、加熱量・循環流量取得部９８から加熱量と循環流量との情報が入力されると、熱源装置制御部９３に、凍結予防運転を行なう旨の信号と、加熱量の情報とを出力する。また凍結予防運転制御部９７は、ポンプ制御部９２に、凍結予防運転を行なう旨の信号と、循環流量の情報とを出力する。また凍結予防運転制御部９７は、弁制御部９１に、凍結予防運転を実行する旨の情報を出力する。
【００５６】
熱源装置制御部９３は、凍結予防運転制御部９７から加熱量の情報が入力されると、熱源装置１の第１の熱源部１１を制御する。熱源装置制御部９３は、凍結予防運転制御部９７から加熱量が０の情報が入力されると、ＯＮ／ＯＦＦ制御部９４１に燃焼を停止させる旨の信号を出力する。また、熱源装置制御部９３は、凍結予防運転制御部９７から、例えば第１の加熱量で加熱すべき旨の情報が入力されると、ＯＮ／ＯＦＦ制御部９４１に燃焼を開始させる旨の信号を出力すると共に、加熱量制御部９４２に第１の加熱量で運転すべき旨の信号を出力する。これにより第１の熱源制御部９４は、第１の熱源部１１の駆動を制御する。
【００５７】
ポンプ制御部９２は、凍結予防運転制御部９７から、凍結予防運転を実行する旨の情報と、循環流量の情報とが入力されると、循環ポンプ３６をその循環流量とするよう制御する。
【００５８】
弁制御部９１は、凍結予防運転制御部９７から凍結予防運転を実行する旨の信号が入力されると、暖房用端末２の弁を開放させるよう制御する。
【００５９】
このような構成の熱供給システムは、凍結予防運転が実行される場合、次のようにして作動する。
【００６０】
温度検知部１１１が外気の温度を検知すると、この温度検知部１１１は検知した温度値を比較部９６に出力する。比較部９６は、入力された温度値と閾値メモリ９６１から入力された閾値温度とを比較し、その温度値が属する温度区間を判断する。比較部９６は、温度区間の情報を加熱量・循環流量取得部９８に出力する。加熱量・循環流量取得部９８は、加熱量・循環流量テーブルメモリ９９から、その温度区間に割り当てられた加熱量と循環流量とを取得する。加熱量・循環流量取得部９８は、取得した情報を凍結予防運転制御部９７に出力する。
【００６１】
凍結予防運転制御部９７は、加熱量・循環流量取得部９８から加熱量と循環流量との情報が入力されると、凍結予防運転を実行すべきであると判断し、熱源装置制御部９３に、凍結予防運転を実行する旨の情報と加熱量情報とを出力する。また凍結予防運転制御部９７は、ポンプ制御部９２に、凍結予防運転を実行する旨の情報と循環流量情報とを出力する。また凍結予防運転制御部９７は、弁制御部９１に、凍結予防運転を行なう旨の信号を出力する。
【００６２】
熱源装置制御部９３は、凍結予防運転を実行する旨の情報と加熱量情報とが入力されると、第１の熱源制御部に、加熱量情報に基づいて第１の熱源部１１を制御すべき旨の信号を出力する。
【００６３】
ポンプ制御部９２は、凍結予防運転を実行する旨の情報と循環流量情報とが入力されると、循環流量情報に基づいて循環ポンプ３６を駆動制御する。また弁制御部９１は、凍結予防運転を実行する旨の情報が入力されると、暖房用端末２の弁を開放するよう制御する。
【００６４】
これにより、凍結予防運転が実行される。
【００６５】
次に、フローチャートに基づいて、本実施形態の熱供給システムの動作を説明する。
【００６６】
温度検知部１１１は外気の温度を検知して温度値を取得する（Ｓ１）。次に制御装置９は、検知した温度値が閾値メモリに記憶された温度区間のどの温度区間に属するか、或いは、対応する温度区間は存在しないかを判断する（Ｓ２）。検知した温度値に対応する温度区間が存在しない場合、再びステップ１に戻る。
【００６７】
検知した温度値に対応する温度区間が存在する場合、制御装置は、予め設定された加熱量・循環流量テーブルから、温度値が属する温度区間に割り当てられた加熱量と循環流量とを取得する（Ｓ３）。次に、制御装置９は、循環ポンプ３６をその循環流量で駆動させる。また制御装置９は、熱源装置１の第１の熱源部１１をその加熱量となるよう作動させる（なお、取得した加熱量が０の場合、熱源装置１を作動させない）。また制御装置９は、各暖房用端末２の熱媒の流入口２１に設けられた弁を開放させる（Ｓ４）。具体的には、検知温度が第一の温度域に属する場合には、熱源装置１により熱媒を加熱させないで循環ポンプ３６により熱媒を循環させる。検知温度が第二の温度域に属する場合には、熱源装置１により熱媒を加熱させて循環ポンプ３６により熱媒を循環させる。
【００６８】
次に、温度検知部１１１は、再度、温度を検知して温度値を取得する。制御装置９は、この温度値が、第１温度よりも大きい所定の温度（以下、ＯＦＦ温度という）よりも大きいか否かを判断する（Ｓ５）。このとき検知した温度値が、ＯＦＦ温度よりも大きい場合、制御装置９は、熱源装置１の第１の熱源部１１を停止させると共に循環ポンプ３６を停止させる。また制御装置９は、暖房用端末２の弁を閉塞させる。そして再びステップ１に戻る。
【００６９】
検知した温度値が、ＯＦＦ温度以下である場合、制御装置９は、その温度値が別の温度区間に属するものであるかどうかを判断する（Ｓ７）。検知した温度値が現在の温度区間と同じ区間に属する場合、再びステップ５に戻る。なおこの場合、凍結予防運転中において検知した温度値が、ＯＦＦ温度以下で且つ第１の温度よりも大きい場合には、区間Ｔ１と同じ制御が行なわれる。
【００７０】
検知した温度値が現在の温度区間と異なる区間に属する場合、制御装置９は、温度値が属する温度区間を判断する。そして制御装置９は、この温度値に対応する温度区間に割り当てられた加熱量と循環流量とを取得する（Ｓ８）。制御装置９は、循環ポンプ３６をその循環流量に切り替える。さらに、制御装置９は、熱源装置１の第１の熱源部１１をその加熱量となるよう作動させる（なお、取得した加熱量が０の場合は、熱源装置１を作動させない）。そして、再びステップ５に戻る。
【００７１】
以上説明したように、本実施形態の熱供給システムは、熱源装置１と、暖房用端末２と、熱媒循環路３と、循環ポンプ３６とを備えている。また本実施形態の熱供給システムは、温度検知部１１１と、制御装置９とを備えている。制御装置９は、循環ポンプ３６を制御すると共に熱源装置１を制御する。制御装置９は、凍結予防運転を実行できるよう構成されている。凍結予防運転は、温度検知部１１１が第一の温度域の温度を検知した場合に、
熱源装置１により熱媒を加熱させないで循環ポンプ３６により熱媒を循環させる。また、凍結予防運転は、温度検知部１１１が第一の温度域よりも低温の第二の温度域の温度を検知した場合に、熱源装置１により熱媒を加熱させて循環ポンプ３６により熱媒を循環させる。
【００７２】
本実施形態の熱供給システムは、温度検知部１１１により検知した温度値が、第二の温度域よりも高い温度域である第一の温度域に属する場合には、熱源装置１を駆動させないで熱媒を循環させるだけで凍結予防運転を行なうものである。このため、本実施形態の熱供給システムによれば、凍結予防運転における熱源装置１の加熱量を削減することができ、省エネルギー化を図ることができる。
【００７３】
しかも本実施形態の熱供給システムは、その環境がより厳しい寒さになった場合等に、温度検知部１１１により検知した温度値が第二の温度域に属すると、熱媒の循環を行なうだけでなく加熱も併せて行なう。このため、本実施形態の熱供給システムによれば、効果的に凍結予防運転を実行することができる。この結果、外気温等の温度に応じた凍結予防運転を実行させることができる。
【００７４】
また本実施形態の熱供給システムの熱源装置１は、少なくとも、第１の加熱量と、第１の加熱量よりも大きい第２の加熱量とに切り替えることができるものである。凍結予防運転は、図３に示されるように、温度検知部１１１が第５温度以下を検知すると、熱源装置１の加熱量が、第１の加熱量から第２の加熱量へと切り替えられる。言い換えると、凍結予防運転は、温度検知部１１１が第二の温度域における所定の温度以下を検知すると、熱源装置１が第１の加熱量から第２の加熱量へと切り替えられるものである。
【００７５】
このため、本実施形態の熱供給システムは、温度値が第二の温度域に属する場合においても、その温度に応じた加熱量で熱媒を加熱して循環させることができる。これにより、本実施形態の熱供給システムによれば、凍結予防運転における加熱量をより削減することができる。
【００７６】
また本実施形態の熱供給システムの循環ポンプ３６は、少なくとも、第１の循環流量と、第１の循環流量よりも大きい第２の循環流量とに切り替えることができるよう構成されている。本実施形態の凍結予防運転は、図３に示されるように、第２温度以下を検知すると、循環ポンプ３６が第１の循環流量から第２の循環流量へと切り替えられる。言い換えると、凍結予防運転は、温度検知部１１１が第一の温度域における所定の温度以下を検知すると、循環ポンプが第１の循環流量から第２の循環流量へと切り替えられるものである。
【００７７】
このため、本実施形態の熱供給システムは、温度値に応じて、循環ポンプ３６の循環流量を変化させることができる。これにより、本実施形態の熱供給システムによれば、凍結予防運転における循環ポンプ３６の電力を削減することができる。
【００７８】
なお本実施形態の循環ポンプ３６は、第二の温度域において、第５温度以下を検知すると、第４の循環流量から前記第５の循環流量へと切り替えられるようになっている。すなわち本発明における凍結予防運転は、第二の温度域において所定の温度以下を検知すると、循環ポンプ３６が第１の循環流量から第２の循環流量へと切り替えられるものであってもよい。
【００７９】
また、本実施形態において、温度区間に割り当てられた加熱量と循環流量との組み合わせは、図３のようになっていたが、本発明においては、図３の組み合わせに限定されない。例えば、循環流量につき、第一の温度域において、循環流量を切り替えずに、第二の温度域のみで循環流量を切り替えるようにしてもよい。また、第二の温度域において、熱源装置１による加熱を行なうのに伴って、循環ポンプ３６における循環流量を、第一の温度域における循環流量よりも少ない循環流量で熱媒を循環させるよう設定してもよい。
【００８０】
このように本発明において、凍結予防運転における温度区間に割り当てられた加熱量と循環流量との組み合わせは、現場に応じて自由に設定変更することができる。
【００８１】
なお、本実施形態の熱供給システムの熱源装置１は、潜熱熱交換器１４を有していたが、本発明の熱供給システムにおいて、熱源装置は、潜熱熱交換器を有していなくてもよい。
【符号の説明】
【００８２】
１      熱源装置
１１    第１の熱源部
１２    ガスバーナ
１３    顕熱熱交換器
１４    潜熱熱交換器
１５    第２の熱源部
１７    顕熱熱交換器
１８    潜熱熱交換器
２      暖房用端末
３      熱媒循環路
３６    循環ポンプ
４      暖房タンク
５      追焚き用回路
６      追焚き循環路
６３    浴湯ポンプ
６４    浴槽
８      給湯用流路
８２    給水路
８３    給湯路
９      制御装置
１１１  温度検知部
【図１】
2013213619.tif 000003
【図２】
2013213619.tif 000004
【図３】
2013213619.tif 000005
【図４】
2013213619.tif 000006